【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
低減された電力使用量を伴うディスプレイシステムであって、
内向きに面したセンサと、
光源を備えるディスプレイであって、前記ディスプレイシステムは、画像コンテンツが異なる深度に位置するようにユーザに現れるように、異なる発散量を伴って前記画像コンテンツを前記ユーザに提供するように構成されるＡＲシステムまたはＶＲシステムを備える、ディスプレイと、
前記内向きに面したセンサおよび前記ディスプレイと通信している処理電子機器であって、前記処理電子機器は、
前記内向きに面したセンサを使用して、ユーザの眼のステータスにおける第１の変化を検出することであって、前記第１の変化は、前記ユーザの眼の閉じた状態に関連付けられたインジケーションを含む、ことと、
ユーザの眼のステータスにおける第２の変化を検出することであって、前記第２の変化は、前記ユーザの眼の開いた状態に関連付けられたインジケーションを含む、ことと、
前記ユーザの眼のステータスにおける前記第１の変化を検出したことに応答して、前記ディスプレイシステムの電流ドレインを低減させることであって、前記ディスプレイの前記電流ドレインを低減させることは、前記光源をオフにすることなく、前記ディスプレイの前記光源を減光することを含む、ことと、
前記ユーザの眼のステータスにおける前記検出された第２の変化に応答して、前記ディスプレイシステムの電流ドレインを増加させることと
を行うように構成される、処理電子機器と
を備える、ディスプレイシステム。
【請求項２】
前記ユーザの眼のステータスにおける前記第１の変化および前記第２の変化は、瞬目に対応する、請求項１に記載のディスプレイシステム。
【請求項３】
前記ディスプレイの前記電流ドレインを低減させることは、前記ディスプレイによって消費される電力の量を低減させるように前記ディスプレイと関連付けられたグラフィックドライバを構成することをさらに含む、請求項１に記載のディスプレイシステム。
【請求項４】
前記グラフィックドライバは、指定された数のフレームをスキップするように構成され、前記指定された数のフレームは、前記ユーザが見えていない時間の長さに基づく、請求項３に記載のディスプレイシステム。
【請求項５】
前記ディスプレイは、液晶ディスプレイ（ＬＣＤ）を備える、請求項１に記載のディスプレイシステム。
【請求項６】
前記内向きに面したセンサは、カメラを備える、請求項１に記載のディスプレイシステム。
【請求項７】
前記処理電子機器は、前記ディスプレイと関連付けられたリフレッシュレートを低減させることによって、前記ディスプレイの前記電流ドレインを低減させるようにさらに構成される、請求項１に記載のディスプレイシステム。
【請求項８】
グラフィックドライバをさらに備え、前記ディスプレイシステムの前記電流ドレインを低減させることは、前記グラフィックドライバの電力消費量を低減させることさらに含む、請求項１に記載のディスプレイシステム。
【請求項９】
前記ディスプレイシステムは、ユーザによって装着されるように構成された頭部搭載型ディスプレイを備え、前記頭部搭載型ディスプレイは、前記ディスプレイを支持するように構成されたフレーム上に配置され、前記ディスプレイは、前記ユーザの視野に拡張現実画像コンテンツを表示するために光を前記ユーザの眼に投影するように構成され、前記ディスプレイの少なくとも一部は、透明であり、前記ユーザが前記フレームを装着すると前記ユーザの眼の正面の位置に配置され、これにより、前記透明な部分が、前記ユーザおよび前記頭部搭載型ディスプレイの正面の環境の一部からの光を前記ユーザの眼まで透過することにより、前記ユーザおよび前記頭部搭載型ディスプレイの正面の前記環境の前記一部のビューを提供する、請求項１に記載のディスプレイシステム。
【請求項１０】
前記ユーザは、前記第１の変化と前記第２の変化との間で、見えていない、請求項１に記載のディスプレイシステム。
【請求項１１】
ディスプレイシステムの電力使用量を低減させるための方法であって、
内向きに面したセンサを使用して、ユーザの眼のステータスにおける第１の変化を検出することであって、前記第１の変化は、前記ユーザの眼の閉じた状態に関連付けられたインジケーションを含む、ことと、
ユーザの眼のステータスにおける第２の変化を検出することであって、前記第２の変化は、前記ユーザの眼の開いた状態に関連付けられたインジケーションを含む、ことと、
前記ユーザの眼のステータスにおける前記第１の変化を検出したことに応答して、前記ディスプレイシステムの電流ドレインを低減させることであって、前記ディスプレイの前記電流ドレインを低減させることは、光源をオフにすることなく、前記ディスプレイの前記光源を減光することを含む、ことと、
前記ユーザの眼のステータスにおける前記第２の変化を検出したことに応答して、前記ディスプレイシステムの電流ドレインを増加させることと
を含み、前記ディスプレイシステムは、画像コンテンツが異なる深度に位置するようにユーザに現れるように、異なる発散量を伴って前記画像コンテンツを前記ユーザに提供するように構成されるＡＲシステムまたはＶＲシステムを備える、方法。
【請求項１２】
前記ユーザの眼のステータスにおける変化は、瞬目に対応する、請求項１１に記載の方法。
【請求項１３】
前記ディスプレイシステムの前記電流ドレインを低減させることは、前記ディスプレイシステムによって消費される電力の量を低減させるように前記ディスプレイシステムと関連付けられたグラフィックドライバを構成することをさらに含む、請求項１１に記載の方法。
【請求項１４】
指定された数のフレームをスキップすることをさらに含み、前記指定された数のフレームは、前記ユーザが見えていない時間の長さに基づく、請求項１３に記載の方法。
【請求項１５】
瞬目の長さに基づいて、指定された期間にわたって前記ディスプレイシステムによって消費される電力の量を低減させることをさらに含む、請求項１１に記載の方法。
【請求項１６】
前記ディスプレイシステムは、液晶ディスプレイ（ＬＣＤ）を備える、請求項１１に記載の方法。
【請求項１７】
前記ディスプレイシステムの前記電流ドレインを低減させることは、前記ディスプレイと関連付けられたリフレッシュレートを低減させることをさらに含む、請求項１１に記載の方法。
【請求項１８】
前記ディスプレイシステムの前記電流ドレインを低減させることは、グラフィックドライバの電力消費量を低減させることをさらに含む、請求項１１に記載の方法。
【請求項１９】
前記ディスプレイシステムは、ユーザによって装着されるように構成された頭部搭載型ディスプレイを備え、前記頭部搭載型ディスプレイは、前記ディスプレイを支持するように構成されたフレーム上に配置され、前記ディスプレイは、前記ユーザの視野に拡張現実画像コンテンツを表示するために光を前記ユーザの眼に投影するように構成され、前記ディスプレイの少なくとも一部は、透明であり、前記ユーザが前記フレームを装着すると前記ユーザの眼の正面の位置に配置され、これにより、前記透明な部分が、前記ユーザおよび前記頭部搭載型ディスプレイの正面の環境の一部からの光を前記ユーザの眼まで透過することにより、前記ユーザおよび前記頭部搭載型ディスプレイの正面の前記環境の前記一部のビューを提供する、請求項１１に記載の方法。
【手続補正２】
【補正対象書類名】明細書
【補正対象項目名】００５２
【補正方法】変更
【補正の内容】
【００５２】
実施形態４８：ディスプレイシステムは、画像コンテンツが異なる深度に位置するようにユーザに現れるように、異なる発散量を伴って画像コンテンツをユーザに提供するように構成されるＡＲシステムまたはＶＲシステムを備える、実施形態１３−２３または４６−４７のいずれかに記載の方法。
本発明は、例えば、以下を提供する。
（項目１）
低減された電力使用量を伴うディスプレイシステムであって、
内向きに面したセンサと、
ディスプレイと、
前記内向きに面したセンサおよび前記ディスプレイと通信している処理電子機器であって、前記処理電子機器は、
前記内向きに面したセンサを使用して、ユーザの眼のステータスにおける変化を検出することと、
前記ユーザの眼のステータスにおける変化が検出されたときに基づいて、前記ディスプレイシステムの電流ドレインを低減させることと
を行うように構成される、処理電子機器と
を備える、ディスプレイシステム。
（項目２）
前記ユーザの眼のステータスにおける変化は、瞬目またはサッケードである、項目１に記載のディスプレイシステム。
（項目３）
前記ディスプレイは、光源を備え、前記ディスプレイの電流ドレインを低減させることは、前記ディスプレイの光源を減光することを含む、項目１に記載のディスプレイシステム。
（項目４）
前記ディスプレイは、光源を備え、前記ディスプレイの電流ドレインを低減させることは、光源をオフにすることを含む、項目１に記載のディスプレイシステム。
（項目５）
前記ディスプレイの電流ドレインを低減させることは、前記ディスプレイによって消費される電力の量を低減させるように前記ディスプレイと関連付けられたグラフィックドライバを構成することを含む、項目１に記載のディスプレイシステム。
（項目６）
前記グラフィックドライバは、指定された数のフレームをスキップするように構成され、前記指定された数のフレームは、前記眼が瞬目またはサッケードする時間の長さに基づく、項目５に記載のディスプレイシステム。
（項目７）
前記ディスプレイは、ＬＣＤディスプレイを備える、項目１に記載のディスプレイシステム。
（項目８）
前記内向きに面したセンサは、カメラを備える、項目１に記載のディスプレイシステム。
（項目９）
前記処理電子機器は、前記ディスプレイと関連付けられたリフレッシュレートを低減させることによって、前記ディスプレイの電流ドレインを低減させるように構成される、項目１に記載のディスプレイシステム。
（項目１０）
グラフィックドライバをさらに備え、前記ディスプレイシステムの電流ドレインを低減させることは、グラフィックドライバの電力消費量を低減させることを含む、項目１に記載のディスプレイシステム。
（項目１１）
ディスプレイシステムの電力の使用量を低減させるための方法であって、
内向きに面したセンサを使用して、ユーザの眼のステータスにおける変化を検出するステップと、
前記ユーザの眼のステータスにおける変化が検出されたときに基づいて、前記ディスプレイシステムの電流ドレインを低減させるステップと
を含む、方法。
（項目１２）
前記ユーザの眼のステータスにおける変化は、瞬目またはサッケードである、項目１１に記載の方法。
（項目１３）
前記ディスプレイシステムは、光源を備え、前記ディスプレイシステムの電流ドレインを低減させるステップは、前記ディスプレイシステムの光源を減光するステップを含む、項目１１に記載の方法。
（項目１４）
前記ディスプレイシステムは、光源を備え、前記ディスプレイシステムの電流ドレインを低減させるステップは、前記ディスプレイシステムの光源をシャットオフするステップを含む、項目１１に記載の方法。
（項目１５）
前記ディスプレイシステムの電流ドレインを低減させるステップは、前記ディスプレイシステムによって消費される電力の量を低減させるように前記ディスプレイシステムと関連付けられたグラフィックドライバを構成するステップを含む、項目１１に記載の方法。
（項目１６）
前記グラフィックドライバは、指定された数のフレームをスキップするように構成され、前記指定された数のフレームは、瞬目の長さまたは前記眼が見えていない時間の長さに基づく、項目１５に記載の方法。
（項目１７）
前記グラフィックドライバは、瞬目の長さまたは前記眼が見えていない時間の長さに基づく指定された期間にわたって、前記ディスプレイシステムによって消費される電力の量を低減させるように構成される、項目１５に記載の方法。
（項目１８）
前記ディスプレイシステムは、ＬＣＤディスプレイを備える、項目１１に記載の方法。
（項目１９）
前記ディスプレイシステムの電流ドレインを低減させるステップは、前記ディスプレイと関連付けられたリフレッシュレートを低減させるステップ含む、項目１１に記載の方法。
（項目２０）
前記ディスプレイシステムの電流ドレインを低減させるステップは、グラフィックドライバの電力消費量を低減させるステップを含む、項目１１に記載の方法。